(57)【要約】【課題】動き検知機能が異常となった場合でも、録画忘れを防止できるエレベータかご内防犯カメラの録画忘れ防止装置を得る。【解決手段】かご内の映像を撮影するかご内防犯カメラと、かご内カメラで撮影された映像を記録する映像記録装置と、かご内の状態をセンシングするセンサと、センサから得られたデータを解析しかご内の人物の存在の有無を検出する人体検出装置と、かご内の人物に起因するエレベータ制御信号を入力可能な入力装置と、入力装置への入力に応じてエレベータを制御するエレベータ制御装置とを備え、映像記録装置は、人体検出装置の人体検出結果と入力装置からのかご内の人物に起因するエレベータ制御信号との整合性が合わない場合、センサ又は人体検出装置の異常と判断して、かご内の映像記録を開始する。【選択図】図１
2012096872.tif 000002
【特許請求の範囲】
【請求項１】
エレベータのかごと、
前記かご内に設けられ、前記かご内の映像を撮影するかご内防犯カメラと、
前記かご内カメラで撮影された映像を記録する映像記録装置と、
前記かご内の状態をセンシングするセンサと、
前記センサから得られたデータを解析し、かご内の人物の存在の有無を検出する人体検出装置と、
前記かご内に設けられ、かご内の人物に起因するエレベータ制御信号を入力可能な入力装置と、
前記入力装置への入力に応じてエレベータを制御するエレベータ制御装置とを備え、
前記映像記録装置は、前記人体検出装置の人体検出結果と前記入力装置からのかご内の人物に起因するエレベータ制御信号との整合性が合わない場合、前記センサ又は人体検出装置の異常と判断して、かご内の映像記録を開始することを特徴とするエレベータかご内防犯カメラの録画忘れ防止装置。
【請求項２】
エレベータのかごと、
前記かご内に設けられ、前記かご内の映像を撮影するかご内防犯カメラと、
前記かご内カメラで撮影された映像を記録する映像記録装置と、
前記かご内の状態をセンシングするセンサと、
前記センサから得られたデータを解析し、かご内の人物の存在の有無を検出する人体検出装置と、
前記かご内に設けられ、かご内の人物に起因するエレベータ制御信号を入力可能な入力装置と、
前記入力装置への入力に応じてエレベータを制御するエレベータ制御装置とを備え、
前記映像記録装置は、前記人体検出装置の人体検出結果と前記入力装置からのかご内の人物に起因するエレベータ制御信号との整合性が合わない場合、前記センサ又は人体検出装置の異常と判断して、かご内の映像記録を開始するとともに、遠隔監視センターに異常通報することを特徴とするエレベータかご内防犯カメラの録画忘れ防止装置。
【請求項３】
かご内を撮影するかご内防犯カメラにかご内の状態をセンシングするセンサ機能を持たせ、映像記録装置の動き検出部に人体検出装置の機能を持たせたことを特徴とする請求項１又は請求項２記載のエレベータかご内防犯カメラの録画忘れ防止装置。
【請求項４】
かご内操作盤の呼び登録釦を入力装置としたことを特徴とする請求項１〜請求項３のいずれかに記載のエレベータかご内防犯カメラの録画忘れ防止装置。
【発明の詳細な説明】
【技術分野】
【０００１】
この発明は、エレベータかご内防犯カメラの録画忘れ防止装置に関するものである。
【背景技術】
【０００２】
従来、エレベータかご内に設置されているかご内防犯カメラの映像記録装置は、映像の動きを動き検知部により検知して、記録を開始する機能を有している。しかし、万一動き検知部の検知機能が異常となった場合、映像が記録されない、録画忘れ状態となってしまうことがあった。ここでは、動き検知部の検知機能が異常となる場合として、機器が壊れた場合や、保守員等の設定操作ミスによって発生する場合が考えられる。
【０００３】
また、従来技術として、かご内の状況を撮影するためのテレビカメラと、かご内の人の有無を判定するための人体検知センサと、テレビカメラが撮影した映像を所定の微小時間間隔で記録するためのタイムラプスＶＴＲとを設置し、人体検知センサから出力される検知信号に応じてタイムラプスＶＴＲの微小時間間隔を変更する制御手段を設け、かご内の人の有無に応じて映像記録密度が自動的に変化するように構成したエレベータのかご内映像記録装置が提案されている（例えば、特許文献１参照）。また、かごの状況を撮影する撮影手段が撮影した映像を所定の時間間隔に記録する記録手段をかごの外部に設けたエレベータのかご内映像記録装置において、エレベータに設けられる乗客が操作するスイッチの作動で記録手段に記録する時間間隔を変更する取込み時間変更手段を備えたものが提案されている（例えば、特許文献２参照）。
【先行技術文献】
【特許文献】
【０００４】
【特許文献１】特開平８−２７７０８０号公報
【特許文献２】特開２０００−１２８２号公報
【発明の概要】
【発明が解決しようとする課題】
【０００５】
従来のように、映像の動きを動き検知部により検知して、記録を開始する機能を有しているエレベータかご内防犯カメラの映像記録装置では、動き検知部の検知機能の異常発生が、機器の故障や、保守員等の設定操作ミスによって起きるため、録画忘れを防止することは難しかった。
【０００６】
また、従来技術のエレベータのかご内映像記録装置は、人体検知センサが万一故障した場合の録画忘れを考慮したものではなかった。
【０００７】
この発明は、上述のような課題を解決するためになされたもので、カメラ映像の動きを検知して記録を開始する動き検知機能が異常となった場合でも、動き検知機能が異常状態となっていることを確実に検出して、録画忘れを防止できるようにしたエレベータかご内防犯カメラの録画忘れ防止装置を提供するものである。
【課題を解決するための手段】
【０００８】
この発明に係るエレベータかご内防犯カメラの録画忘れ防止装置においては、エレベータのかごと、かご内に設けられ、かご内の映像を撮影するかご内防犯カメラと、かご内カメラで撮影された映像を記録する映像記録装置と、かご内の状態をセンシングするセンサと、センサから得られたデータを解析し、かご内の人物の存在の有無を検出する人体検出装置と、かご内に設けられ、かご内の人物に起因するエレベータ制御信号を入力可能な入力装置と、入力装置への入力に応じてエレベータを制御するエレベータ制御装置とを備え、映像記録装置は、人体検出装置の人体検出結果と入力装置からのかご内の人物に起因するエレベータ制御信号との整合性が合わない場合、センサ又は人体検出装置の異常と判断して、かご内の映像記録を開始するものである。
【０００９】
また、エレベータのかごと、かご内に設けられ、かご内の映像を撮影するかご内防犯カメラと、かご内カメラで撮影された映像を記録する映像記録装置と、かご内の状態をセンシングするセンサと、センサから得られたデータを解析し、かご内の人物の存在の有無を検出する人体検出装置と、かご内に設けられ、かご内の人物に起因するエレベータ制御信号を入力可能な入力装置と、入力装置への入力に応じてエレベータを制御するエレベータ制御装置とを備え、映像記録装置は、人体検出装置の人体検出結果と入力装置からのかご内の人物に起因するエレベータ制御信号との整合性が合わない場合、センサ又は人体検出装置の異常と判断して、かご内の映像記録を開始するとともに、遠隔監視センターに異常通報するものである。
【００１０】
また、かご内を撮影するかご内防犯カメラにかご内の状態をセンシングするセンサ機能を持たせ、映像記録装置の動き検出部に人体検出装置の機能を持たせたものである。
【００１１】
また、かご内操作盤の呼び登録釦を入力装置としたものである。
【発明の効果】
【００１２】
この発明によれば、人体検出装置の人体検出結果と入力装置からのかご内の人物に起因するエレベータ制御信号との整合性が合わない場合でも、センサ又は人体検出装置の異常と判断して、かご内の映像記録を開始するので、録画忘れを確実に防止できる効果がある。
【図面の簡単な説明】
【００１３】
【図１】この発明の実施例１におけるエレベータかご内防犯カメラの録画忘れ防止装置の全体構成を示すシステム構成図である。
【図２】この発明の実施例１におけるエレベータかご内防犯カメラの録画忘れ防止装置の主要構成を示すシステム構成図である。
【図３】この発明の実施例１におけるエレベータかご内防犯カメラの録画忘れ防止装置の動作例を説明するためのフローチャートである。
【図４】この発明の実施例１におけるエレベータかご内防犯カメラの録画忘れ防止装置の動作例を説明するためのフローチャートである。
【図５】この発明の実施例１におけるエレベータかご内防犯カメラの録画忘れ防止装置の動作例を説明するためのフローチャートである。
【図６】この発明の実施例１におけるエレベータかご内防犯カメラの録画忘れ防止装置の動作例を説明するためのフローチャートである。
【発明を実施するための形態】
【実施例１】
【００１４】
図１において、１はエレベータのかご、２はかご１内の映像を撮影するかご内防犯カメラ、３はかご内防犯カメラ２で撮影された映像を記録する映像記録装置で、動き検知部４及び記録部５を備えており、エレベータ防犯カメラレコーダを構成している。上記映像記録装置３は、動き検知部４によりかご内防犯カメラ２で撮影された映像の動きから人物の存在を検知して、記録部５により映像記録を開始する機能を有している。ここで、かご内防犯カメラ２は、かご１内の状態をセンシングするセンサの役目を果たしており、また動き検知部４は、かご内防犯カメラ２から得られたデータを解析して人物の有無を検出する人体検知装置としての役目を果たしている。６はかご１内に設けられたかご内操作盤で、戸開閉釦７、呼び登録釦８、かご内インジケータ９等を備えている。ここで、かご内操作盤６の呼び登録釦８は、かご内の人物による入力装置としての役目を果たしている。１０はエレベータ制御装置、１１は通信網、１２は遠隔監視センターである。エレベータ防犯カメラレコーダを構成する映像記録装置３は、エレベータ制御装置１０からかご１内の押し釦、すなわち呼び登録釦８が操作されたことを示す制御信号を受信する。そして、この制御信号を受信した時には、かご１内には操作した人物が確実に居る筈である。しかし、かご１内に人物が確実に居る筈であるにも拘らず、動き検知部４が映像の動きを検知しなかった場合、動き検知部４に異常があることを検出する。そして、映像記録装置３は記録部５により映像記録を開始するとともに、動き検知部４に異常があることを遠隔監視センター１２に通知する。
【００１５】
次に、エレベータかご内防犯カメラの録画忘れ防止装置の主要構成について、図２により説明する。
図２において、２はかご内を撮影する防犯カメラ、３は映像記録装置、１０はエレベータ制御装置である。１３はかご内の状態をセンシングするセンサ、１４はセンサ１３から得られたデータを解析して人物の有無を検出する人体検出装置である。上記センサ１３は、例えばかご内を撮影する防犯カメラ２と共用化してもよいが、他のものであっても良い。また、人体検出装置１４は、例えば映像記録装置３の動き検知部４と共用化してもよいが、他のものであっても良い。１５はかご内に設置された入力装置である。この入力装置１５は、エレベータに何らかの制御を生じさせるものであれば何でも良いが、例えばかご内操作盤６の呼び登録釦８等の押し釦が適当である。上記エレベータ制御装置１０は、入力装置１５への入力に応じてエレベータを制御するが、かご内操作盤６の呼び登録釦８が操作されたということは、かご内の人物に起因するエレベータ制御信号であることを意味する。また、上記映像記録装置３は、防犯カメラ２で撮影された映像、人体検出装置１４からの人体検出結果及びエレベータ制御装置１０からのかご内の人物に起因するエレベータ制御信号を受信して、かご内に確実に人物が居る筈であるにも拘らず、人体検出装置１４が人物を検出しなかった場合、すなわち人体検出装置１４による人体検出結果と入力装置１５からのかご内の人物に起因するエレベータの制御信号との整合性が合わない場合は、センサ１３又は人体検出装置１４の異常と判断して、映像記録装置３は記録部５により映像記録を開始するとともに、センサ１３又は人体検出装置１４に異常があることを遠隔監視センター１２に通知する。
【００１６】
次に、図３により、エレベータかご内防犯カメラの録画忘れ防止装置の動作の流れについて説明する。
先ず、ステップＳ１で人体検出装置１４により人物検出処理を行う。次に、かご内の人物が検出されたら（ステップＳ２）、防犯カメラ２及び映像記録装置３の記録部５により一定時間映像を記録し（ステップＳ３）、一定時間経過後、映像記録を停止する（ステップＳ４）。これがエレベータ防犯カメラレコーダとしての通常の状態である。今、ステップＳ２でかご内の人物が検出されない場合は、ステップＳ５に進み、エレベータ制御信号の判別を行う。次に、ステップＳ６でかご内の人物に起因するエレベータ制御信号であることが確認された場合は、ステップ３に進み、防犯カメラ２及び映像記録装置３の記録部５により一定時間映像を記録する。もし、ステップＳ６でかご内の人物に起因するエレベータ制御信号であることが確認できない場合は、防犯カメラ２及び映像記録装置３の記録部５による映像記録を停止する（ステップＳ４）。これがエレベータ防犯カメラレコーダとしての録画忘れ防止機能を示す流れである。
【００１７】
次に、図４により、エレベータかご内防犯カメラの録画忘れ防止装置の動作の流れについて説明する。
先ず、ステップＳ１１で人体検出装置１４により人物検出処理を行う。次に、かご内の人物が検出されたら（ステップＳ１２）、防犯カメラ２及び映像記録装置３の記録部５による映像記録を開始し（ステップＳ１３）、それが終われば映像記録を停止する（ステップＳ１４）。これがエレベータ防犯カメラレコーダとしての通常の状態である。今、ステップＳ１２でかご内の人物が検出されない場合は、ステップＳ１５に進み、エレベータ制御信号の判別を行う。次にステップＳ１６でかご内の人物に起因するエレベータ制御信号であることが確認された場合は、ステップ１３に進み、防犯カメラ２及び映像記録装置３の記録部５による映像記録を開始する。もし、ステップＳ１６でかご内の人物に起因するエレベータ制御信号であることが確認できない場合は、防犯カメラ２及び映像記録装置３の記録部５による映像記録を停止する（ステップＳ１７）。これがエレベータ防犯カメラレコーダとしての録画忘れ防止機能を示す流れである。
【００１８】
次に、図５により、エレベータかご内防犯カメラの録画忘れ防止装置の動作の流れについて説明する。
先ず、ステップＳ２１で人体検出装置１４により人物検出処理を行う。次に、かご内の人物が検出されたら（ステップＳ２２）、防犯カメラ２及び映像記録装置３の記録部５により一定時間映像を記録し（ステップＳ２３）、一定時間経過後、映像記録を停止する（ステップＳ２４）。これがエレベータ防犯カメラレコーダとしての通常の状態である。今、ステップＳ２２でかご内の人物が検出されない場合は、ステップＳ２５に進み、エレベータ制御信号の判別を行う。次に、ステップＳ２６でかご内の人物に起因するエレベータ制御信号であることが確認された場合は、ステップ２７に進み、センサ１３等の異常を遠隔監視センター１２に通報し、更に、ステップＳ２３に進み、防犯カメラ２及び映像記録装置３の記録部５により一定時間映像を記録する。もし、ステップＳ２６でかご内の人物に起因するエレベータ制御信号であることが確認できない場合は、防犯カメラ２及び映像記録装置３の記録部５による映像記録を停止する（ステップＳ２４）。これがエレベータ防犯カメラレコーダとしての録画忘れ防止機能を示す流れである。
【００１９】
次に、図６により、エレベータかご内防犯カメラの録画忘れ防止装置の動作の流れについて説明する。
先ず、ステップＳ３１で人体検出装置１４により人物検出処理を行う。次に、かご内の人物が検出されたら（ステップＳ３２）、防犯カメラ２及び映像記録装置３の記録部５による映像記録を開始し（ステップＳ３３）、それが終われば映像記録を停止する（ステップＳ３４）。これがエレベータ防犯カメラレコーダとしての通常の状態である。今、ステップＳ３２でかご内の人物が検出されない場合は、ステップＳ３５に進み、エレベータ制御信号の判別を行う。次にステップＳ３６でかご内の人物に起因するエレベータ制御信号であることが確認された場合は、ステップ３７に進み、センサ１３等の異常を遠隔監視センター１２に通報し、更に、ステップＳ３３に進み、防犯カメラ２及び映像記録装置３の記録部５による映像記録を開始する。もし、ステップＳ３６でかご内の人物に起因するエレベータ制御信号であることが確認できない場合は、防犯カメラ２及び映像記録装置３の記録部５による映像記録を停止する（ステップＳ３８）。これがエレベータ防犯カメラレコーダとしての録画忘れ防止機能を示す流れである。
【符号の説明】
【００２０】
１  エレベータのかご
２  かご内防犯カメラ
３  映像記録装置（エレベータ防犯カメラレコーダ）
４  動き検知部
５  記録部
６  かご内操作盤
７  戸開閉釦
８  呼び登録釦
９  かご内インジケータ
１０  エレベータ制御装置
１１  通信網
１２  遠隔監視センター
１３  センサ
１４  人体検出装置
１５  入力装置
【図１】
2012096872.tif 000003
【図２】
2012096872.tif 000004
【図３】
2012096872.tif 000005
【図４】
2012096872.tif 000006
【図５】
2012096872.tif 000007
【図６】
2012096872.tif 000008